(57)【要約】【課題】全体として一体でありながら内部に仕切壁を設けて独立した二流体管路を備えた二管路配管の前記仕切壁の断面形状に工夫を凝らすことによりいずれの方向にも曲げ易く配管施工性に優れる給湯配管システム等に用いる二管路配管を提供する。【解決手段】管内部が管軸方向に連続する仕切壁１５で第１流体管路１６と第２流体管路１７に区画形成されてなる二管路配管において、仕切壁１５を断面Ｓ字形状に形成している。【選択図】図４
2008039269.tif 000002
【特許請求の範囲】
【請求項１】
管内部が管軸方向に連続する仕切壁で第１流体管路と第２流体管路に区画形成されてなる給湯配管システム等に用いる二管路配管において、前記仕切壁を断面Ｓ字形状に形成していることを特徴とする、給湯配管システム等に用いる二管路配管。
【発明の詳細な説明】
【技術分野】
【０００１】
本発明は、給湯配管システム等に用いる二管路配管に関する。
【背景技術】
【０００２】
たとえば、即湯タイプの給湯配管システムにおいて、全体として一体に形成されながら内部に独立した二つの流体管路を備えた二管路配管としては、例えば、給湯配管とこの給湯配管内の水を加熱する蒸気管とをペアチューブ状に構成し、またそれら蒸気管と給湯配管とを内外二重管構造に構成することは公知である（例えば、特許文献１参照。）。
また、給湯配管を内管と外管とを有する二重管に構成し、内管に湯を流し、外管に温風を流すことによって内管内の湯を加熱又は保温するようにしたものも公知である（例えば、特許文献２参照。）。
【０００３】
【特許文献１】特開昭６１−８９４４２号公報（第２図、第３図）
【特許文献２】特開２００６−１０２１２号公報（図２、図３）
【発明の開示】
【発明が解決しようとする課題】
【０００４】
ところで、上記のように全体として一体でありながら内部に二流体管路を備えた二管路配管は、一方の流体管路と、もう一方の流体管路とを同一箇所に同時に配管できる点で有利である反面、その断面形状からして配管時に曲げ難くて配管施工を困難にするという不利がある。
【０００５】
本発明は、このような問題を解決するためになされたものであり、その目的とするところは、上記のような、全体として一体でありながら内部に仕切壁を設けて独立した二流体管路を備えた二管路配管において、前記仕切壁の断面形状に工夫を凝らすことによりいずれの方向にも曲げ易く配管施工性に優れる給湯配管システム等に用いる二管路配管を提供することにある。
【課題を解決するための手段】
【０００６】
本発明は、管内部が管軸方向に連続する仕切壁で第１流体管路と第２流体管路に区画形成されてなる給湯配管システム等に用いる二管路配管において、前記仕切壁を断面Ｓ字形状に形成していることに特徴を有するものである。
【０００７】
かかる構成の二管路配管によれば、全体として一体に形成されながら管内部が仕切壁により独立する第１，２流体管路に仕切られた配管においても、仕切壁は断面Ｓ字形状に形成してあるので、管軸方向に対して直角方向に且つ仕切壁のＳ字方向に荷重を作用させても曲げることができ、曲げ方向性の制約を受けることがなくなる。
【発明の効果】
【０００８】
本発明によれば、全体として一体に形成されながら管内部が仕切壁により独立する第１，２流体管路に仕切られた二管路配管も、曲げ方向性の制約を受けることがないので、配管施工性の容易化を図ることができて有利である。
【発明を実施するための最良の形態】
【０００９】
本発明の好適な実施形態を図面に基づき説明する。図１は本発明に係る二管路配管の使用例を示す循環式給湯システムを、出湯栓の全てが閉栓状態にある時の状態を示す構成図、図２は図１の循環式給湯システムを出湯栓の一つが開栓された時の状態を示す構成図、図３は本発明に係る二管路配管の一部斜視図、図４は図３の二管路配管の断面図、図５は図１の循環式給湯システムに使用される配管の末端部と出湯栓との接続構造を示す断面図である。
【００１０】
本発明に係る二管路配管が使用される循環式給湯システム１は、図１に示すように、給湯用の湯を貯える貯湯タンク２と、給湯配管系統の末端の蛇口やシャワーヘッド等の複数の出湯栓３（図示例では第１，２，３の出湯栓３Ａ，３Ｂ、３Ｃ）と、貯湯タンク２に各先端が接続されている送湯単独配管４及び給水配管５と、給水配管５から分岐した第１バイパス管６に先端が接続されている返湯単独配管７と、送湯単独配管４及び返湯単独配管７の各末端と各出湯栓３とを管継ぎ合せ部材（管継手）８（図示例では第１，２の管継ぎ合せ部材８Ａ，８Ｂ）を介して接続する本発明の二管路配管１０（図示例では第１，２，３，４の二管路配管１０Ａ，１０Ｂ，１０Ｃ，１０Ｄ）と、返湯単独配管７に配設された循環用ポンプ１１とを備えている。
【００１１】
給水配管５は貯湯タンク２の下部と上水道等給水源との間に配管され、送湯単独配管４は貯湯タンク２の上部と第１の管継ぎ合せ部材８Ａとの間に配管され、返湯単独配管７は第１バイパス管６と第１の管継ぎ合せ部材８Ａとの間に配管されている。送湯単独配管４の貯湯タンク２との接続部近傍箇所には貯湯タンク２への湯の逆流を防ぐ第１逆止弁１２を設けている。第１バイパス管６には返湯単独配管７への湯の逆流を防ぐ第２逆止弁１３を設けている。
【００１２】
本発明に係る二管路配管１０（１０Ａ，１０Ｂ，１０Ｃ，１０Ｄ）は、図３、図４に示すように、ポリブテン管、ポリエチレン管、塩化ビニル管等からなり、管内部が管軸方向に連続する仕切壁１５で第１流体管路１６と第２流体管路１７に区画形成されてなり、本実施例では第１流体管路１６は送湯用に、第２流体管路１７は送湯用にそれぞれ使用される。そして、その二管路配管１０の内部を仕切る仕切壁１５は直径方向に断面Ｓ字形状に形成している。したがって、この二管路配管１０は管軸方向に対して直角方向に且つ仕切壁１５のＳ字方向ＰＰ´と交差する方向ＱＱ´（Ｓ字方向ＰＰ´と直角に交わる場合のみならず、Ｓ字方向ＰＰ´に斜めに交わる場合も含む）に荷重を作用させて曲げられることはもとより、管軸方向に対して直角方向に且つ仕切壁１５のＳ字方向ＰＰ´に荷重を作用させても曲げることができ、曲げ方向性の制約を受けることがない。
【００１３】
管継ぎ合せ部材８は、円筒部１８と、この円筒部１８から分岐した分岐部１９とを有するＴ形に形成した管継ぎ合せ本体２０を有する。この管継ぎ合せ本体２０の内部は、円筒部１８の筒軸方向に延びる円筒部仕切壁２４と、この円筒部仕切壁２４の分岐部１９内に臨む箇所から該円筒部仕切壁２４と直交する垂直平面上で分岐部１９の開口端方向へ延びる分岐部仕切壁２３とで仕切ることにより円筒部１８の一端開口部から他端開口部にわたって真っ直ぐに貫通する第１流通路２６と、分岐部１９の開口端から円筒部１８の一端開口部にわたって連通する屈曲状の第２流通路２１と、分岐部１９の開口端から円筒部１８の他端開口部にわたって連通する屈曲状の第３流通路２２とに区画形成している。
管継ぎ合せ部材８の円筒部１８の両端開口部や分岐部１９の開口端には、後述するように各二管路配管１０がこの配管１０内の仕切壁１５の端部と円筒部仕切壁２４の端部及び分岐部仕切壁２３の端部とがそれぞれ突き合せ状に接合するように接続される。このため、円筒部１８の円筒部仕切壁２４、及び分岐部１９の分岐部仕切壁２３の各断面形状は二管路配管１０の仕切壁１５の断面Ｓ字形状に合せた断面Ｓ形状に形成されている。
【００１４】
給湯循環配管に際し、送湯単独配管４の末端は第１の管継ぎ合せ部材８Ａの第２流通路２１に接続され、返湯単独配管７の末端は同管継ぎ合せ部材８Ａの第３流通路２２に接続される。
第１の管継ぎ合せ部材８Ａの第１，２流通路２６，２１と第１の出湯栓３Ａの湯流入口とは第１の二管路配管１０Ａで接続される。
その際、第１の二管路配管１０Ａの先端は第１の管継ぎ合せ部材８Ａの円筒部１８の一端開口部に、該二管路配管１０Ａ内の仕切壁１５の端部と該仕切壁１５と同じ断面Ｓ形状の円筒部仕切壁２４の端部とが突き合せ状態になるように挿入されて熱融着、電気融着或いは接着手段で一体に接合する。これにより第１の二管路配管１０Ａの第１流体管路１６の先端は第１の管継ぎ合せ部材８Ａの第２流通路２１に、同二管路配管１０Ａの第２流体管路１７の先端は第１の管継ぎ合せ部材８Ａの第１流通路２６にそれぞれ連通するように接続される。
図５に示すように、第１の二管路配管１０Ａの第１流体管路１６及び第２流体管路１７の各末端は第１の出湯栓３Ａの湯流入口２７の内部にまで臨むように第１の出湯栓３Ａと筒形管継ぎ合せ部材２８を介して接続し、これにより該出湯栓３Ａの閉栓時には、常に、湯流入口２７内において第１流体管路１６の末端からの湯が第２流体管路１７の末端にユー・ターンして湯流入口２７の内部にまで循環するようにしてある。
【００１５】
図１のように、第１の管継ぎ合せ部材８Ａと第２の出湯栓３Ｂ及び第３の出湯栓３Ｃとは、第２の管継ぎ合せ部材８Ｂを介して第２，３，４の二管路配管１０Ｂ，１０Ｃ，１０Ｄで接続される。すなわち、第１の管継ぎ合せ部材８Ａと第２の管継ぎ合せ部材８Ｂとを第２の二管路配管１０Ｂで接続するが、その際、第２の二管路配管１０Ｂの先端は第１の管継ぎ合せ部材８Ａの円筒部１８の他端開口部に、該二管路配管１０Ｂ内の仕切壁１５の端部と該仕切壁１５と同じ断面Ｓ形状の円筒部仕切壁２４の端部とが突き合せ状態になるように挿入され、また第２の二管路配管１０Ｂの末端は第２の管継ぎ合せ部材８Ｂの分岐部１９の開口端に、該二管路配管１０Ｂ内の仕切壁１５の端部と分岐部１９内の仕切壁１５と同じ断面Ｓ形状の分岐部仕切壁２３の端部とが突き合せ状態になるように挿入されてそれぞれ熱融着、電気融着或いは接着手段で一体に接合する。これにより第１の管継ぎ合せ部材８Ａの第１流通路２６と第２の管継ぎ合せ部材８Ｂの第２流通路２１とが第２の二管路配管１０Ｂの第１流体管路１６で、第１の管継ぎ合せ部材８Ａの第３流通路２２と第２の管継ぎ合せ部材８Ｂの第３流通路２２とが第２の二管路配管１０Ｂの第２流体管路１７でそれぞれ連通するように接続される。
【００１６】
第２の出湯栓３Ｂと第２の管継ぎ合せ部材８Ｂとの接続に際しては、第３の二管路配管１０Ｃの先端は第２の管継ぎ合せ部材８Ｂの円筒部１８の一端開口部に、該二管路配管１０Ｃ内の仕切壁１５の端部と該仕切壁１５と同じ断面Ｓ形状の円筒部仕切壁２４の端部とが突き合せ状態になるように挿入されて熱融着、電気融着或いは接着手段で一体に接合する。これにより第３の二管路配管１０Ｃの第１流体管路１６の先端が第２の管継ぎ合せ部材８Ｂの第１流通路２１に、第２流体管路１７の先端が第２の管継ぎ合せ部材８Ｂの第１流通路２６にそれぞれ連通するように接続される。
そして、第３の二管路配管１０Ｃの第１流体管路１６及び第２流体管路１７の各末端は第２の出湯栓３Ｂの湯流入口２７の内部にまで臨むように第２の出湯栓３Ｂと接続し、これにより、図５に示す第１の出湯栓３Ａの場合と同様に、第２の出湯栓３Ｂの閉栓時には、常に、湯流入口２７内において第１流体管路１６の末端からの湯が第２流体管路１７の末端にユー・ターンして湯流入口２７の内部にまで循環するようにしてある。
【００１７】
第３の出湯栓３Ｃと第２の管継ぎ合せ部材８Ｂとの接続に際しては、第４の二管路配管１０Ｄの先端は第２の管継ぎ合せ部材８Ｂの円筒部１８の他端開口部に、該二管路配管１０Ｄ内の仕切壁１５の端部と該仕切壁１５と同じ断面Ｓ形状の円筒部仕切壁２４の端部とが突き合せ状態になるように挿入されて熱融着、電気融着或いは接着手段で一体に接合する。これにより第４の二管路配管１０Ｄの第１流体管路１６の先端が第２の管継ぎ合せ部材８Ｂの第１流通路２６に、第２流体管路１７の先端が第２の管継ぎ合せ部材８Ｂの第３流通路２２にそれぞれ連通するように接続される。
そして、第４の二管路配管１０Ｄの第１流体管路１６及び第２流体管路１７の各末端は第３の出湯栓３Ｃの湯流入口２７の内部に臨むように第３の出湯栓３Ｃと接続し、これにより、図５に示す第１の出湯栓３Ａの場合と同様に、第３の出湯栓３Ｃの閉栓時には、常に、湯流入口２７内において第１流体管路１６の末端からの湯が第２流体管路１７の末端にユー・ターンして湯流入口２７の内部にまで循環するようにしてある。
【００１８】
このように複数の出湯栓３Ａ，３Ｂ，３Ｃどうしを接続する給湯循環配管に際して送湯・返湯共用の二管路配管１０Ａ〜１０Ｄを用いて配管施工することによって送湯配管と返湯配管を同一箇所に且つ同時に配管することができる。また、管継ぎ合せ部材８Ａ、８Ｂを用いることによって送湯単独配管４及び返湯単独配管７と二管路配管１０との継ぎ合せ、および二管路配管１０同士の継ぎ合せ作業が能率よく行われ、施工性に優れる。更に、二管路配管１０Ａ〜１０Ｄは仕切壁１５を有するものの、いかなる方向にも曲げることができるので、出湯栓３Ａ，３Ｂ，３Ｃや管継ぎ合せ部材８Ａ、８Ｂの配置に対応して自在に曲げて配管することができる。
【００１９】
図１において、送湯単独配管４から分岐された第２バイパス管１４と返湯単独配管７の途中部位との間には、湯の流れの方向を切替える三方弁等による切替部２９を設ける。
この切替部２９により出湯栓３Ａ，３Ｂ，３Ｃの全てが閉栓状態にあるときは、図１のように、貯湯タンク２から湯が第１逆止弁１２→送湯単独配管４→第１管継ぎ合せ部材８Ａの第２流通路２１→第１の二管路配管１０Ａの第１流体管路１６→第１の出湯栓３Ａの湯流入口２７→第１の二管路配管１０Ａの第２流体管路１７→第１の管継ぎ合せ部材８Ａの第１流通路２６→第２の二管路配管１０Ｂの第１流体管路１６→第２の管継ぎ合せ部材８Ｂの第２流通路２１→第３の二管路配管１０Ｃの第１流体管路１６→第２の出湯栓３Ｂの湯流入口２７→第３の二管路配管１０Ｃの第２流体管路１７→第２の管継ぎ合せ部材８Ｂの第１流通路２６→第４の二管路配管１０Ｄの第１流体管路１６→第３の出湯栓３Ｃの湯流入口２７→第４の二管路配管１０Ｄの第２流体管路１７→第２の管継ぎ合せ部材８Ｂの第３流通路２２→第２の二管路配管１０Ｂの第２流体管路１７→第１の管継ぎ合せ部材８Ａの第３流通路２２→返湯単独配管７→循環用ポンプ１１→第１バイパス管６→第２逆止弁１３→給水配管５へと流れて貯湯タンク２に戻るように切替えられる。
【００２０】
そして、出湯栓３Ａ，３Ｂ，３Ｃのいずれかの開栓、例えば、第２の出湯栓３Ｂの開栓により、第２の出湯栓３Ｂの流入口２７内に臨む第３の二管路配管１０Ｃの第１流体管路１６からの湯を直ぐに吐出すると同時に、切替部２９の切替えに伴い、図２のように、送湯単独配管４から湯が第２バイパス管１４を介して返湯単独配管７にも流れ、第１の管継ぎ合せ部材８Ａの第３流通路２２→第２の二管路配管１０Ｂの第２流体管路１７→第２の管継ぎ合せ部材８Ｂの第３流通路２２→第４の二管路配管１０Ｄの第２流体管路１７→第３の出湯栓３Ｃの湯流入口２７→第４の二管路配管１０Ｄの第１流体管路１６→第２の管継ぎ合せ部材８Ｂの第１流通路２６→第３の二管路配管１０Ｃの第２流体管路１７→第２の出湯栓３Ｂの流入口２７へ流れるようにしてある。つまり、第２の出湯栓３Ｂが開栓されると切替部２９の切替えにより第３の二管路配管１０Ｃの第１流体管路１６及び第１流体管路１７の両方から湯が第２の出湯栓３Ｂに送られる。
【００２１】
次に、上記構成の循環式給湯システム１の動作を説明する。
【００２２】
図１のように、第１，２，３の出湯栓３Ａ，３Ｂ，３Ｃの全てが閉栓状態にある時は、循環用ポンプ１１を低速又は間欠的に運転し、第２バイパス管１４と返湯単独配管７との連通状態が遮断されるように切替部２９である三方弁を切替える。これにより、貯湯タンク２→第１逆止弁１２→送湯単独配管４→第１の管継ぎ合せ部材８Ｂの第２流通路２１→第１の二管路配管１０Ａの第１流体管路１６→第１の出湯栓３Ａの湯流入口２７→第１の二管路配管１０Ａの第２流体管路１７→第１の管継ぎ合せ部材８Ａの第１流通路２６→第２の二管路配管１０Ｂの第１流体管路１６→第２の管継ぎ合せ部材８Ｂの第２流通路２１→第３の二管路配管１０Ｃの第１流体管路１６→第２の出湯栓３Ｂの湯流入口２７→第３の二管路配管１０Ｃの第２流体管路１７→第２の管継ぎ合せ部材８Ｂの第１流通路２６→第４の二管路配管１０Ｄの第１流体管路１６→第３の出湯栓３Ｃの湯流入口２７→第４の二管路配管１０Ｄの第２流体管路１７→第２の管継ぎ合せ部材８Ｂの第３流通路２２→第２の二管路配管１０Ｂの第２流体管路１７→第１の管継ぎ合せ部材８Ａの第３流通路２２→返湯単独配管７→循環用ポンプ１１→第１バイパス管６→第２逆止弁１３→給水配管５へと流れて貯湯タンク２に戻り、また貯湯タンク２から第１逆止弁１２を経て前述したと同じ順に流れ、それを繰り返して循環する。
このように貯湯タンク２内の湯を少量ずつ循環させることにより各配管内の湯の温度を維持することができる。
【００２３】
いま、第１，２，３の出湯栓３Ａ，３Ｂ，３Ｃのうち、例えば、第２の出湯栓３Ｂが開栓されると、該出湯栓３Ｂから発せられる電気信号、あるいは返湯単独配管７に配設する圧力感知計３０による圧力感知信号により、切替部２９である三方弁は、図２のように、第２バイパス管１４から返湯単独配管７にも湯が流れるように切替えられる。このときは循環用ポンプ１１の運転は停止される。しかるときは、第２の出湯栓３Ｂが開栓されると、貯湯タンク２内の内圧（水道圧）により、第２の出湯栓３Ｂの流入口２７内に臨む第３の二管路配管１０Ｃの第１流体管路１６からの湯を直ぐに吐出し、これと同時に、切替部２９である三方弁の切替えに伴い送湯単独配管４から湯が第２バイパス管１４を介して返湯単独配管７にも流れ、第１の管継ぎ合せ部材８Ａの第３流通路２２→第２の二管路配管１０Ｂの第２流体管路１７→第２の管継ぎ合せ部材８Ｂの第３流通路２２→第４の二管路配管１０Ｄの第２流体管路１７→第３の出湯栓３Ｃの湯流入口２７→第４の二管路配管１０Ｄの第１流体管路１６→第２の管継ぎ合せ部材８Ｂの第１流通路２６→第３の二管路配管１０Ｃの第２流体管路１７→第２の出湯栓３Ｂの流入口２７へ流れ、第３の二管路配管１０Ｃの第１流体管路１６からの湯と共に吐出する。
このように第２の出湯栓３Ｂが開栓されると、直ぐに湯が吐出するので、捨て水を発生するようなことはない。また、切替部２９である三方弁の切替えにより開栓される第２の出湯栓３Ｂには第３の二管路配管１０Ｃの第１流体管路１６及び第１流体管路１７の両方から湯が送られるので、第２の出湯栓３Ｂからの吐出流量の低下変動を減少できる。
【００２４】
図６は、本発明に係る二管路配管１０の他の使用例を示す循環式給湯システム１の構成図を示す。この実施例の管継ぎ合せ部材３３は、上記実施例の二管路配管１０と同様な、内部が仕切壁１５により第１流体管路１６と第２流体管路１７に区画形成された複数の各二管路配管１０（第１，２，３の配管１０Ａ，１０Ｂ，１０Ｃ）をその先端で継ぎ合せるヘッダーである。
【００２５】
この実施例の管継ぎ合せ部材３３は、図１，図２に示すＴ形の管継ぎ合せ部材８と同じような断面形状をもつ複数の第１，２，３の管継ぎ合せ構成部材３３Ａ，３３Ｂ，３３Ｃを直列に連結した形に一体に形成してなる。
すなわち、各管継ぎ合せ構成部材３３Ａ，３３Ｂ，３３Ｃは円筒部３４と、この円筒部３４から分岐した分岐部３５とを有するＴ形に形成する。各管継ぎ合せ構成部材３３Ａ，３３Ｂ，３３Ｃの内部は、円筒部３４の筒軸方向に延びる円筒部仕切壁４０と、この円筒部仕切壁４０の分岐部３５内に臨む箇所から該円筒部仕切壁４０と直交する垂直平面上で分岐部３５の開口端方向へ延びる分岐部仕切壁３６とで仕切ることにより円筒部３４の一端開口部から他端開口部にわたって貫通する第１流通路４３と、分岐部３５の開口端から円筒部３４の一端開口部にわたって連通する屈曲状の第２流通路３７と、分岐部３５の開口端から円筒部３４の他端開口部にわたって連通する屈曲状の第３流通路３８とに区画形成している。そして、各管継ぎ合せ構成部材３３Ａ，３３Ｂ，３３Ｃは円筒部３４同士を円筒部仕切壁４０の端部同士が突き合せ状態になるように筒軸方向に直列に連結し、筒軸方向末端の管継ぎ合せ構成部材３３Ｃの円筒部３４の末端は盲栓部４４で閉塞している。
【００２６】
給湯循環配管に際しては、管継ぎ合せ部材３３の筒軸方向先端の第１の管継ぎ合せ構成部材３３Ａの第２流通路３７と、貯湯タンク２の上部とを送湯単独配管４で接続し、同管継ぎ合せ構成部材３３Ａの第１流通路４３と、送湯単独配管４の途中部位とを返湯単独配管７で接続する。
返湯単独配管７に循環用ポンプ１１を配設すること、送湯単独配管４から分岐された第２バイパス管１４と返湯単独配管７の途中部位との間に三方弁等による切替部２９を設けること、送湯単独配管４の貯湯タンク２との接続部近傍箇所には貯湯タンク２への湯の逆流を防ぐ第１逆止弁１２を設けることは、図１に示す循環式給湯システム１の場合と同様である。返湯単独配管７上の循環用ポンプ１１と送湯単独配管４との接続部との間には熱交換器やヒートポンプ等による再加熱部３１を設けている。返湯単独配管７の送湯単独配管４の途中部位との接続部には返湯単独配管７への湯の逆流を防ぐ逆止弁３２を設けている。
【００２７】
そして、第１，２，３の管継ぎ合せ構成部材３３Ａ，３３Ｂ，３３Ｃの各分岐部３５と、第１〜３の出湯栓３Ａ，３Ｂ，３Ｃとは、上記各実施例に用いられた送湯・返湯共用の二管路配管１０と同じ第１，２，３の二管路配管１０Ａ，１０Ｂ，１０Ｃを用いて直列に接続される。
すなわち、第１，２，３の二管路配管１０Ａ，１０Ｂ，１０Ｃの各先端は第１，２，３の管継ぎ合せ構成部材３３Ａ，３３Ｂ，３３Ｃの各分岐部３５の開口端に、各二管路配管１０Ａ，１０Ｂ，１０Ｃ内の仕切壁１５の端部と、各分岐部３５内の、仕切壁１５と同じ断面形状の分岐部仕切壁３６の端部とが突き合せ状態になるように、それぞれ挿入されて熱融着、電気融着或いは接着手段で一体に接合する。これにより第１，２，３の二管路配管１０Ａ、１０Ｂ、１０Ｃの各第１流体管路１６の先端は第１，２，３の管継ぎ合せ構成部材３３Ａ，３３Ｂ，３３Ｃの各第２流通路３７に、各第２流体管路１７の先端は管継ぎ合せ構成部材３３Ａ，３３Ｂ，３３Ｃの各第３流通路３８にそれぞれ連通するように接続される。
そして、第１，２，３の二管路配管１０Ａ，１０Ｂ，１０Ｃの各第１流体管路１６の末端及び各第２流体管路１７の末端は第１，２，３の各出湯栓３Ａの湯流入口２７の内部にそれぞれ臨むように第１，２，３の各出湯栓３Ａ，３Ｂ，３Ｃと接続し（図５参照）、これにより、図５に示すように、各出湯栓３Ａ，３Ｂ，３Ｃの閉栓時には各湯流入口２７内において第１流体管路１６の末端からの湯が第２流体管路１７の末端にユー・ターンして湯流入口２７内にまで循環するようにしてある。
【００２８】
次に、図６に示す実施例の循環式給湯システム１の動作を説明する。
【００２９】
図６のように、第１，２，３の出湯栓３Ａ，３Ｂ，３Ｃの全てが閉栓状態にある時は、循環用ポンプ１１を低速又は間欠的に運転し、第２バイパス管１４と返湯単独配管７との連通状態が遮断されるように切替部２９である三方弁を切替える。これにより、貯湯タンク２→第１逆止弁１２→送湯単独配管４→第１の管継ぎ合せ構成部材３３Ａの第２流通路３７→第１の二管路配管１０Ａの第１流体管路１６→第１の出湯栓３Ａの湯流入口２７→第１の二管路配管１０Ａの第２流体管路１７→第１の管継ぎ合せ構成部材３３Ａの第３流通路３８→第２の管継ぎ合せ構成部材３３Ｂの第２流通路３７→第２の二管路配管１０Ｂの第１流体管路１６→第２の出湯栓３Ｂの湯流入口２７→第２の二管路配管１０Ｂの第２流体管路１７→第２の管継ぎ合せ構成部材３３Ｂの第３流通路３８→第３の管継ぎ合せ構成部材３３Ｃの第２流通路３７→第３の二管路配管１０Ｃの第１流体管路１６→第３の出湯栓３Ｃの湯流入口２７→第３の二管路配管１０Ｃの第２流体管路１７→第３の管継ぎ合せ構成部材３３Ｃの第３流通路３８→第３，２，１の各第１流通路４３→返湯単独配管７→切替部２９→循環用ポンプ１１→再加熱部３１→逆止弁３２→送湯単独配管４へ戻り、また貯湯タンク２から第１逆止弁１２を経て前述したと同様の順に流れ、それを繰り返して循環する。このように貯湯タンク２内の湯を少量ずつ循環させることにより各配管内の湯の温度を維持することができる。
【００３０】
いま、第１，２，３の出湯栓３Ａ，３Ｂ，３Ｃのうち、例えば、第２の出湯栓３Ｂが開栓されると、該出湯栓３Ｂから発せられる電気信号、あるいは返湯単独配管７に配設する圧力感知計３０による圧力感知信号により、切替部２９である三方弁は、図７のように、第２バイパス管１４から返湯単独配管７にも湯が流れるように切替えられる。このとき循環用ポンプ１１の運転は停止される。しかるときは、第２の出湯栓３Ｂが開栓されると、貯湯タンク２内の内圧（水道圧）により、第２の出湯栓３Ｂの流入口２７内に臨む第２の二管路配管１０Ｂの第１流体管路１６からの湯を直ぐに吐出し、これと同時に、切替部２９である三方弁の切替えに伴い送湯単独配管４から湯が第２バイパス管１４を介して返湯単独配管７にも流れ、第１，２，３の管継ぎ合せ構成部材３３Ａ，３３Ｂ，３３Ｃの各第１流通路４３→第３の管継ぎ合せ構成部材３３Ｃの第３流通路３８→第３の二管路配管１０Ｃの第２流体管路１７→第３の出湯栓３Ｃの湯流入口２７→第３の二管路配管１０Ｃの第１流体管路１６→第３の管継ぎ合せ構成部材３３Ｃの第２流通路３７→第２の管継ぎ合せ構成部材３３Ｂの第３流通路３８→第２の二管路配管１０Ｂの返湯流通路１７→第２の出湯栓３Ｂの流入口２７へ流れ、第２の二管路配管１０Ｂの第１流体管路１６からの湯と共に吐出する。
このように第２の出湯栓３Ｂが開栓されると、直ぐに湯が吐出するので、捨て水を発生するようなことはない。また、切替部２９である三方弁の切替えにより開栓される第２の出湯栓３Ｂには第３の二管路配管１０Ｃの第１流体管路１６及び第１流体管路１７の両方から湯が送られるので、第２の出湯栓３Ｂからの吐出流量の低下変動を減少できる。
【００３１】
図６に示す実施例では、管継ぎ合せ部材３３に複数の出湯栓３Ａ，３Ｂ，３Ｃを第１，２，３の二管路配管１０Ａ，１０Ｂ，１０Ｃを介して直列に接続しているが、図８に示すように管継ぎ合せ部材３３に複数の出湯栓３Ａ，３Ｂ，３Ｃを第１，２，３の二管路配管１０Ａ，１０Ｂ，１０Ｃを介して並列に接続することもできる。尤も、この場合管継ぎ合せ部材３３としては複数の出湯栓３Ａ，３Ｂ，３Ｃを並列に接続可能とする内部流路を有する形状に変更した並列仕様タイプのものが使用される。
【００３２】
本発明に係る二管路配管は、給湯配管システム以外に、例えば、暖房配管システムの配管などにも同様に適用できることは言うまでもない。
【図面の簡単な説明】
【００３３】
【図１】本発明に係る二管路配管の使用例を示す循環式給湯システムを、出湯栓の全てが閉栓状態にある時の状態を示す構成図である。
【図２】図１の循環式給湯システムを出湯栓の一つが開栓された時の状態を示す構成図である。
【図３】本発明に係る二管路配管の一部斜視図である。
【図４】図３の二管路配管の断面図である。
【図５】図１の循環式給湯システムに使用される二管路配管の末端部と出湯栓との接続構造を示す断面図である。
【図６】本発明に係る二管路配管の他の使用例を示す循環式給湯システムを、出湯栓の全てが閉栓状態にある時の状態を示す構成図である。
【図７】図６の循環式給湯システムを出湯栓の一つが開栓された時の状態を示す構成図である。
【図８】本発明に係る二管路配管の更に他の使用例を示す循環式給湯システムを、出湯栓の全てが閉栓状態にある時の状態を示す構成図である。
【符号の説明】
【００３４】
１０（１０Ａ，１０Ｂ，１０Ｃ）  二管路配管
１５  仕切壁
１６  第１流体管路
１７  第２流体管路
【図１】
2008039269.tif 000003
【図２】
2008039269.tif 000004
【図３】
2008039269.tif 000005
【図４】
2008039269.tif 000006
【図５】
2008039269.tif 000007
【図６】
2008039269.tif 000008
【図７】
2008039269.tif 000009
【図８】
2008039269.tif 000010